(57)【要約】  【課題】  ワイヤハーネスとアンテナケーブルとを並走させた状態で配索してもアンテナケーブルへのノイズ混入のおそれがないワイヤハーネスの配索構造を提供する。  【解決手段】  互いに所要間隔を有して並行状態で底壁から立設した少なくとも２本の隔壁１７ａ、１７ｂによって少なくとも３つの領域に区割りされた剛性を有するレール状の並走部材１５を設け、該並走部材１５の中央領域１９を挟んで両側の側部領域１８ａ、１８ｂにルーフハーネス１２とアンテナケーブル１４とを所要間隔を隔てた状態で格納し、並走部材１５を車体に固定するようにしている。また、並走部材１５の中央領域１９にはウォッシャーホース１３を収容している。  【選択図】  図１
2006149149.tif 000002
【特許請求の範囲】
【請求項１】
電源線を含む電線束からなるワイヤハーネスと、アンテナケーブルとを並走状態で配索するようにしたワイヤハーネスの配索構造であって、
互いに所要間隔を有して並行状態で底壁から立設した少なくとも２本の隔壁によって少なくとも３つの領域に区割りされた剛性を有するレール状の並走部材を設け、該並走部材の中央領域を挟んで両側の側部領域に上記ワイヤハーネスとアンテナケーブルとを所要間隔を隔てた状態で収容し、上記並走部材を車体に取り付けるようにしていることを特徴とするワイヤハーネスの配索構造。
【請求項２】
上記並走部材の中央領域にウォッシャーホースを更に収容し、該ウォッシャーホースを介して両側にワイヤハーネスとアンテナケーブルとを並走させるようにした請求項１に記載のワイヤハーネスの配索構造。
【請求項３】
電源線を含む電線束からなるルーフハーネスと、アンテナケーブルとを並走状態で車体の天井部に配索するルーフモジュールであって、
互いに所要間隔を有して並行状態で底壁から立設した少なくとも２本の隔壁によって少なくとも３つの領域に区割りされた剛性を有するレール状の並走部材を設け、該並走部材の中央領域を挟んで両側の側部領域に上記ルーフハーネスとアンテナケーブルとを所要間隔を隔てた状態で収容し、上記並走部材を車体の天井部に組み付けられるルーフライニングの裏面に固定することで上記ルーフハーネスとアンテナケーブルとを上記ルーフライニングに組み付けて一体化していることを特徴とするルーフライニングモジュール。
【請求項４】
上記並走部材の中央領域にウォッシャーホースを更に収容し、該ウォッシャーホースを介して両側にルーフハーネスとアンテナケーブルとを並走させるようにした請求項３に記載のルーフハーネスモジュール。
【発明の詳細な説明】
【技術分野】
【０００１】
本発明は、ワイヤハーネスの配索構造およびルーフハーネスモジュールに関し、詳しくは電源線からのノイズの影響を受けることなく簡易な構造でワイヤハーネスとアンテナケーブルとを並走可能とするものである。
【背景技術】
【０００２】
一般に自動車用のワイヤハーネスは、車体の前部に配置されたバッテリーに接続するフロントハーネス、車室の前方に配索されるカウルハーネス、インストルメントパネルハーネス、車室底部に配索されるフロアハーネスおよび車体後部に配索されるリアハーネス、ドア部に配索されるドアハーネス、天井部に配索されるルーフハーネス等から構成されている。
【０００３】
また、リアウインドに設置されたラジオアンテナをインストルメントパネルのラジオに接続するために、図７（Ａ）（Ｂ）に示すように、同軸線からなるアンテナケーブル１を天井部に取り付けられるルーフライニング２の裏面に沿わせて配索するようにしたものがある。このルーフライニング２の裏面にはオーバーヘッドコンソールやルームランプ等の天井部に備えられた電気機器へ電源を供給するためのルーフハーネス３が配索されている。この場合、アンテナケーブル１は電源線を有するルーフハーネス３によるノイズの影響を避けるためにルーフハーネス３の配索経路から離れた位置に配索されている。また、リヤウインド用のワイパーを備えた車種においては、車体前部のウオッシャータンクに接続されたウォッシャーホース４をルーフライニング２の裏面を通して車体後部へ配索するようにしている。
【０００４】
このため、ルーフライニング２には、ルーフハーネス３とアンテナアケーブル１とウォッシャーホース４を別個の経路で固定しなければならず、多くの配索工数を必要としていた。そこで、図８に示すように、例えばルーフハーネス３’とアンテナケーブル１’とを間隔を設けて並走できるように、一端にルーフハーネス３’に取り付け可能な取付部５ａと他端にアンテナケーブル１’を嵌合保持可能な保持部５ｂを備えた間隔保持部材５を用いてルーフハーネス３’とアンテナケーブル１’とを並走状態でまとめてルーフライニングに取り付ける方法も考えられる。なお、このような間隔保持部材５を用いてアンテナケーブルを離間配置するようにしたもとして特許文献１に記載のものがある。
【０００５】
【特許文献１】特開平７−１４７７２０号公報
【発明の開示】
【発明が解決しようとする課題】
【０００６】
上記のように、間隔保持部材５を用いた場合においても、アンテナケーブル１’とルーフハーネス３’とは、部分的に所要間隔を有する状態となるが、アンテナケーブル１’とルーフハーネス３’とを一体のハーネスとして構成するにはテープ等を両者間にわたって外装する必要がある。この場合、テープの巻き付けによってアンテナケーブル１’とルーフハーネス３’との間隔が維持できなくなってアンテナケーブル１’へのノイズ防止効果が不十分となるおそれがある。また、ルーフライニングにウォッシャーホースを配索する場合、このウォッシャーホースをアンテナケーブル１’およびルーフハーネス３’と共にテープ等によって結束しようとすれば、ウォッシャーホースが潰れて車体後部へのウォッシャー液の供給が遮断される可能性があった。
【０００７】
本発明は上記した問題に鑑みてなされたもので、ワイヤハーネスとアンテナケーブルとを並走させた状態で配索してもアンテナケーブルへのノイズ混入のおそれがないワイヤハーネスの配索構造を提供することを課題としている。また、このような配索構造をルーフライニングに取り付けるルーフハーネスとアンテナケーブルに適用することで、ルーフハーネスモジュールとして提供することを課題としている。
【課題を解決するための手段】
【０００８】
上記課題を解決するため、本発明では、電源線を含む電線束からなるワイヤハーネスと、アンテナケーブルとを並走状態で配索するようにしたワイヤハーネスの配索構造であって、
互いに所要間隔を有して並行状態で底壁から立設した少なくとも２本の隔壁によって少なくとも３つの領域に区割りされた剛性を有するレール状の並走部材を設け、該並走部材の中央領域を挟んで両側の側部領域に上記ワイヤハーネスとアンテナケーブルとを所要間隔を隔てた状態で収容し、上記並走部材を車体に取り付けるようにしていることを特徴とするワイヤハーネスの配索構造を提供している。
【０００９】
このようにすれば、ワイヤハーネスとアンテナケーブルとを剛性を有する並走部材の中央領域を挟んで所要間隔位置に規制された状態に保持することができる。また、同時にワイヤハーネスとアンテナケーブルとは並走部材に収容された状態となっているので、この並走部材を車体に取り付けることで、ワイヤハーネスとアンテナケーブルとを同時に、かつ簡易に車体の所要位置に固定することができる。
【００１０】
並走部材は、合成樹脂製にて一体成型することができる。また隔壁は両側の側部領域の外側にも立設することで４本の隔壁で構成するようにしてもよい。このようにすれば、側部領域も両側の隔壁によって区割りされた領域となるため、ワイヤハーネスおよびアンテナケーブルの収容時の位置決めが容易となる。並走部材を取り付けるべき車体の取付箇所としては、フロア、天井部等アンテナケーブルを配索すべき任意の部位に両面粘着シート等を介して取り付けることができる。
【００１１】
また、上記並走部材の中央領域にウォッシャーホースを更に収容し、該ウォッシャーホースを介して両側にワイヤハーネスとアンテナケーブルとを並走させるようにしてもよい。
【００１２】
上記構成すれば、ワイヤハーネスおよびアンテナケーブルと共に、ウォッシャーホースを並走部材を介して車体に固定することができる。また、その際、ウォッシャーホースは並走部材の中央領域に収容されているため、ウォッシャーホースが途中で潰れることもない。
【００１３】
また、他一方の発明においては、電源線を含む電線束からなるルーフハーネスと、アンテナケーブルとを並走状態で車体の天井部に配索するルーフモジュールであって、
互いに所要間隔を有して並行状態で底壁から立設した少なくとも２本の隔壁によって少なくとも３つの領域に区割りされた剛性を有するレール状の並走部材を設け、該並走部材の中央領域を挟んで両側の側部領域に上記ルーフハーネスとアンテナケーブルとを所要間隔を隔てた状態で収容し、上記並走部材を車体の天井部に組み付けられるルーフライニングの裏面に固定することで上記ルーフハーネスとアンテナケーブルとを上記ルーフライニングに組み付けて一体化していることを特徴とするルーフライニングモジュールを提供している。
【００１４】
上記構成にすれば、ルーフハーネスとアンテナケーブルとを剛性を有する並走部材の中央領域を挟んで所要間隔位置に規制された状態で一括して保持することができる。そして、並走部材をルーフライニングの裏面所定位置に取り付けるのみで、ルーフハーネスとアンテナケーブルを同時に所要位置に配索できるのでルーフライニングモジュールの組付工程を簡素化することができる。また、ルーフハーネスとアンテナケーブルとは所要間隔を設けた状態で保持できるのでアンテナケーブルがノイズの影響を受けるおそれもない。
【００１５】
また、上記並走部材の中央領域にウォッシャーホースを更に収容し、該ウォッシャーホースを介して両側にルーフハーネスとアンテナケーブルとを並走させるようにしてもよい。
上記構成にすれば、ルーフハーネスとアンテナケーブルとを所要間隔に保つための中央領域を有効活用してウォッシャーホースを更に備えたルーフハーネスモジュールを組み立てることができると共に、ウォッシャーホースの固定に際し、ホースが潰れるおそれもない。
【発明の効果】
【００１６】
以上の説明より明らかなように、本発明のワイヤハーネスの配索構造によれば、ワイヤハーネスとアンテナケーブルとを所要間隔を設けた状態で確実に保持することができるため、アンテナケーブルへのノイズ混入を防止でき、かつワイヤハーネスとアンテナネーブルとを並走部材を介して一括して車体の所要箇所に取り付けることができるため、ワイヤハーネスの配索作業の作業性を向上することができる。
また、他一方の発明であるルーフハーネスモジュールでは、ルーフライニングへルーフハーネスとアンテナケーブルとを並走部材を介して一括して組付けできるので、ルーフハーネスモジュールの組立て作業性を向上することができる。また、組付け後はルーフハーネスとアンテナケーブルとを所要間隔を有した状態で確実に保持できるので、アンテナハーネスへのノイズ混入を防止できる。
【発明を実施するための最良の形態】
【００１７】
以下、本発明の実施形態を図面を参照して説明する。
図１〜図４は、本発明の実施形態を示し、本発明のワイヤハーネスの配索構造をルーフハーネスモジュール１０に適用した例を示している。ルーフハーネスモジュール１０は、自動車の天井部に組付けられるルーフライニング１１と、天井部に装備されるルームランプ等に電源を供給するワイヤハーネスとしてのルーフハーネス１２と、リアウインド用のウォッシャーホース１３と、アンテナケーブル１４とを並走部材１５を介して組付けて一体化している。
【００１８】
ルーフライニング１１は自動車の天井部に合わせて内張りする合成樹脂材により成形され、前部Ｆおよび中央部にルームランプ用の開口部１１ａ、１１ｂが形成されている。ルーフハーネス１２は、車室内に装備された電気接続箱（図示せず）に接続されるコネクタ１２ａを一端に備えた電源線を含む電線束から構成され、他端にはルームランプ等に電源を供給するためのコネクタ１２ｂ、１２ｃを備えている。このルーフハーネス１２はフロントピラーを通してルーフライニング１１の前部Ｆのコーナー部から裏面に導入され、ルーフライニング１１の前縁部に沿って開口部１１ａに向けて延びるラインと、ルーフライニング１１の一側に沿って配索されると共に、中央の開口部１１ｂに向けて屈曲するラインで構成されている。
【００１９】
ウォッシャーホース１３は、リヤウインドにワイパーを備えた車種においてリアウインドにウォッシャー液を供給するためのものであり、合成樹脂製のパイプ体から構成されている。このウォッシャーホース１３は、エンジンルーム内のウォッシャー液タンクからフロントピラーを通してルーフライニング１１の裏面に導入され、このルーフライニング１１の一側に沿って配索されるルーフハーネス１２に並走させるようにして後部Ｒ側から外方へ向けて延出される。
アンテナケーブル１４はリヤウインド等に貼り付けられたラジオ用の受信アンテナ（図示せず）からの受信信号を車室内のラジオに送るための同軸線等から構成されている。このアンテナケーブル１４は、ウォッシャーホース１３と同様にフロントピラーを通して導入されると共に、ルーフライニング１１の一側に沿って配索され、後部Ｒ側から外方へ延出される。
【００２０】
並走部材１５は、図２に示すように、合成樹脂製にて剛性のあるレール状に成形されており、底壁１５ａの両側部に長さ方向に向けて一体的に並行状態で立設された２本の外側隔壁１６ａ、１６ｂと、中央部に所要間隔を設けて並行状態で立設された２本の内側隔壁１７ａ、１７ｂによって３つの領域、即ち側部領域１８ａ、１８ｂと中央領域１９とに区割りされている。中央領域１９はウォッシャーホース１３の収容部とし、一側の側部領域１８ａ、１８ｂはそれぞれルーフハーネス１２とアンテナケーブル１４の収容部としている。また、側部領域１８ａ、１８ｂに収容されるルーフハーネス１２とアンテナケーブル１４との間の間隔を決定する中央領域１９の幅は、ルーフハーネス１２における電源線の影響でアンテナケーブル１４にノイズが混入しない寸法設定としている。具体的には側部領域１８ａ、１８ｂに収容されたルーフハーネス１２とアンテナケーブル１４との中心間距離が１０ｍｍ以上となる設定が好ましい。
【００２１】
上記構成からなる並走部材１５は、ルーフライニング１１の一側の長さ方向全域にわたる長さとしてもよいが、本実施形態ではルーフライニング１１に間隔を設けて固定されるように複数に分割された長さとしている。この間隔は、並走部材１５に収容保持されるルーフハーネス１２、ウォッシャーホース１３、アンテナケーブル１４が所要間隔で並走する状態で保持可能な間隔としている。
【００２２】
次に、ワイヤハーネスの配索構造およびルーフハーネスモジュールの組立て工程について説明する。
先ず、図３（Ａ）（Ｂ）に示すように、所要間隔毎に長さ方向に配置しておいた複数の並走部材１５に対しルーフハーネスモジュール１０に組付けるルーフハーネス１２のうち前部Ｆから中央の開口部１１ｂへ配索する部分を側部領域１８ａへ、ウォッシャーホース１３を中央領域１９へ、アンテナケーブル１４を側部領域１８ｂへそれぞれ収容する。次いで、収容されたルーフハーネス１２、ウォッシャーホース１３、アンテナケーブル１４と並走部材１５の外周を囲むようにして粘着テープ２０を巻き付けて固定する。このようにすることでルーフハーネス１２とアンテナケーブル１４とは中央領域１９を介して所定間隔を保持した状態で配置される。この場合、並走部材１５は剛性を有するレール状の部材からなるので、粘着テープ２０の巻き付けによっても、ルーフハーネス１２とアンテナケーブル１４との間隔が狭められてノイズが混入し易い状態となることはない。また、ウォッシャーホース１３も並走部材１５の中央領域１９において内側隔壁１７ａ、１７ｂによって区割りされた状態で収容されているため、外力の影響によってウォッシャーホース１３が潰れてウォッシャー液の流路が閉鎖されるおそれもない。
【００２３】
次に、図４（Ａ）に示すように、並走部材１５の底壁１５ａに貼り付けた両面粘着シート２１によって、各並走部材１５をルーフライニング１１の裏面側方の所要箇所に貼り付け固定する。このようにして、図１に示すように、並走部材１５を介してルーフハーネス１２、ウォッシャーホース１３、アンテナケーブル１４をルーフライニング１１に組付けてなるルーフハーネスモジュール１０を組み立てることができる。
なお、ルーフライニング１１に対する並走部材１５の固定は、図４（Ｂ）に示す変形例のように底壁１５ａ側ではなく外側隔壁１６ａ、１６ｂおよび内側隔壁１７ａ、１７ｂの端縁側で固定するようにしてもよい。
【００２４】
また、上記実施形態では、ウォッシャーホース１３を中央領域１９に配索した例を示したが、リヤウインドにワイパーを備えない車種については、図６に示すように、ウォッシャーホース１３を備えない構成としてもよい。この場合においても、並走部材１５の中央領域１９によって、ルーフハーネス１２とアンテナケーブル１４とを所要間隔を有する状態で配置することができる。
【００２５】
また、図５（Ａ）（Ｂ）の変形例に示すように、並走部材２５は内側隔壁２７ａ、２７ｂの２本のみで外側隔壁を有しない構造としてもよい。この場合においても、内側隔壁２７ａ、２７ｂにより側部領域２８ａ、２８ｂと中央領域２９の３つの領域に区割りすることができ、各領域にルーフハーネス１２、ウォッシャーホース１３、アンテナケーブル１４を収容すると共に、粘着テープ２０で同様に巻き付け固定すれば、ルーフハーネス１２とアンテナケーブル１４を所要間隔を有する状態で配置することができる。この変形例によれば、外側隔壁を有しない分、軽量化を図ることができる。
【００２６】
上記実施形態では、ワイヤハーネスの配索構造をルーフハーネスモジュールに適用した例を示したが、並走部材を用いることによりワイヤハーネスとアンテナケーブルとを所要間隔に保持した状態でフロアに配索する場合にも適用することができる。
【図面の簡単な説明】
【００２７】
【図１】本発明のルーフハーネスモジュールを示す斜視図である。
【図２】並走部材の斜視図である。
【図３】（Ａ）は並走部材にルーフハーネス、ウォッシャーホース、アンテナケーブルを収容した状態の要部斜視図、（Ｂ）はＸ−Ｘ断面図である。
【図４】（Ａ）はルーフライニングに並走部材を固定した状態の要部断面図、（Ｂ）は同上変形例を示す断面図である。
【図５】（Ａ）は並走部材の変形例を示す斜視図、（Ｂ）はルーフハーネス、ウォッシャーホース、アンテナケーブルを収容した状態の斜視図である。
【図６】ウォッシャーホースを用いない場合のルーフハーネスとアンテナケーブルの収容状態を示す変形例の断面図である。
【図７】（Ａ）（Ｂ）は従来例を示す図である。
【図８】従来例を示す図である。
【符号の説明】
【００２８】
１０  ルーフハーネスモジュール
１１  ルーフライニング
１２  ルーフハーネス
１３  ウォッシャーホース
１４  アンテナケーブル
１５、２５  並走部材
１５ａ  底壁
１７ａ、１７ｂ、２７ａ、２７ｂ  内側隔壁
１８ａ、１８ｂ、２８ａ、２８ｂ  側部領域
１９、２９  中央領域
【図１】
2006149149.tif 000003
【図２】
2006149149.tif 000004
【図３】
2006149149.tif 000005
【図４】
2006149149.tif 000006
【図５】
2006149149.tif 000007
【図６】
2006149149.tif 000008
【図７】
2006149149.tif 000009
【図８】
2006149149.tif 000010